(57)【要約】【課題】収納ケースを梱包する梱包箱を有効に利用した仕切り体を提供すること。【解決手段】段ボール紙からなり、収納ケースを梱包する梱包箱１００であって、収納ケースの内部空間を仕切る仕切り体を組み立てるための部材である壁体１０５及び中桟１０６を切り抜くための型が表されていることを特徴とする梱包箱１００を提供する。【選択図】　図１
0003097446.tif 000002
【実用新案登録請求の範囲】
【請求項１】
段ボール紙からなり、少なくとも壁面と底面とを備える収納ケースを梱包する梱包箱であって、
前記収納ケースの内部空間を仕切る仕切り体を組み立てる部材を切り抜くための型が表されていることを特徴とする梱包箱。
【請求項２】
前記型により表された前記部材の境界線にはミシン目が形成されており、前記ミシン目に沿って、前記梱包箱から前記部材を切り抜くことができるようにされていることを特徴とする請求項１に記載の梱包箱。
【請求項３】
前記仕切り体を組み立てる際に、前記型により表された前記部材を折り曲げる必要がある場合には、前記部材を折り曲げる折り曲げ位置が表されていることを特徴とする請求項１又は２に記載の梱包箱。
【請求項４】
前記梱包箱の側壁の両端には、スウィング部が形成されており、前記スウィング部は、前記側壁との境界部分を折り曲げることにより、蓋、底又はベロとすることができるようにされており、
前記型は、前記スウィング部に表されていることを特徴とする請求項１乃至３の何れか一項に記載の梱包箱。
【請求項５】
前記仕切り体は、四方を囲む四つの壁体と、前記壁体の内部で対向する二つの壁体の間に掛け渡される少なくとも一つの中桟と、により形成されていることを特徴とする請求項１乃至４の何れか一項に記載の梱包箱。
【請求項６】
前記仕切り体は、少なくとも一つの縦部材と、少なくとも一つの横部材と、を格子状に組み合わせることにより形成されていることを特徴とする請求項１乃至４の何れか一項に記載の梱包箱。
【請求項７】
前記仕切り体は、前記収納ケースの内部空間を二分する垂直壁体と、前記垂直壁体の下端において前記垂直壁体の一面側に湾曲された第一の脚部材と、前記垂直壁体の下端において前記垂直壁体の他面側に湾曲された第二の脚部材と、により形成されていることを特徴とする請求項１乃至４の何れか一項に記載の梱包箱。
【請求項８】
請求項１乃至７の何れか一項に記載された梱包箱と、当該梱包箱内に梱包されている収納ケースとの組み合わせ。
【請求項９】
板状の段ボール紙からなり、梱包箱の内部に挿入される緩衝材であって、
前記収納ケースの内部空間を仕切る仕切り体を組み立てる部材を切り抜くための型が表されていることを特徴とする緩衝材。
【請求項１０】
前記型により表された前記部材の境界線にはミシン目が形成されており、前記ミシン目に沿って、前記緩衝材から前記部材を切り抜くことができるようにされていることを特徴とする請求項９に記載の緩衝材。
【請求項１１】
前記仕切り体を組み立てる際に、前記型により表された前記部材を折り曲げる必要がある場合には、前記部材を折り曲げる折り曲げ位置が表されていることを特徴とする請求項９又は１０に記載の緩衝材。
【請求項１２】
前記仕切り体は、四方を囲む四つの壁体と、前記壁体の内部で対向する二つの壁体の間に掛け渡される少なくとも一つの中桟と、により形成されていることを特徴とする請求項９乃至１１の何れか一項に記載の緩衝材。
【請求項１３】
前記仕切り体は、少なくとも一つの縦部材と、少なくとも一つの横部材と、を格子状に組み合わせることにより形成されていることを特徴とする請求項９乃至１１の何れか一項に記載の緩衝材。
【請求項１４】
前記仕切り体は、前記収納ケースの内部空間を二分する垂直壁体と、前記垂直壁体の下端において前記垂直壁体の一面側に湾曲された第一の脚部材と、前記垂直壁体の下端において前記垂直壁体の他面側に湾曲された第二の脚部材と、により形成されていることを特徴とする請求項９乃至１１の何れか一項に記載の緩衝材。
【請求項１５】
請求項９乃至１４の何れか一項に記載された緩衝材と収納ケースとの組み合わせ。
【考案の詳細な説明】
【０００１】
【考案の属する技術分野】
本考案は、梱包箱及び梱包箱に梱包された収納ケースに関する。
【０００２】
【従来の技術】
衣料や靴等を押入などに収納するために収納ケースが使用されているが、この収納ケースの内部空間を分割し、様々な物を分類して収納することができるようにするために、従来から、仕切り体が使用されている（例えば、特開平７−２７７３４０号公報参照）。
【０００３】
また、収納ケースを運搬する際には、段ボール紙からなる梱包箱により梱包することが行われている。
【０００４】
【考案が解決しようとする課題】
しかしながら、従来の仕切り体は、収納ケースとは別個に、樹脂等により形成されたものを購入し、用意しなければならないため、費用がかかり不便であった。
【０００５】
また、従来の仕切り体では、収納ケースの内部に入れる関係上、収納ケースのサイズにあったものを探す必要があり、煩雑であった。
【０００６】
さらに、収納ケースを梱包していた梱包箱は、ゴミとして捨てられることが多く、これを有効に利用する必要もある。
【０００７】
そこで、本考案は、収納ケースを梱包する梱包箱を有効に利用した仕切り体を提供することを目的とする。
【０００８】
【課題を解決するための手段】
以上の課題を解決するため、本考案は、段ボール紙からなり、少なくとも壁面と底面とを備える収納ケースを梱包する段ボール紙からなる梱包箱であって、前記収納ケースの内部空間を仕切る仕切り体を組み立てる部材を切り抜くための型が表されていることを特徴とする梱包箱を提供する。
【０００９】
このようにして型により表された部材を鋏、カッター等の切断手段で切り取り、組み立てることにより、収納ケースの内部空間を仕切る仕切り体とすることができる。
【００１０】
なお、型により表された部材の境界線にミシン目を形成しておくことにより、鋏やカッターなどの切断手段を用いることなく、型により表された部材を梱包箱から切り抜くことができるようになる。
【００１１】
ここで、型により表された部材を折り曲げて仕切り体を組み立てるようにした場合には、この部材を折り曲げる折り曲げ位置を表すことが望ましい。
【００１２】
この折り曲げ位置を表す方法としては、折り線を表示しておくこともでき、また、段ボール紙を容易に折り曲げることができるように折り目を施しておくこともできる。
【００１３】
ここで、梱包箱のいずれの位置にこのような型を表すかは、適時選択することができる設計事項ではあるが、例えば、梱包箱が、その側壁の両端にスウィング部を形成し、このスウィング部と側壁との間の境界部分を折り曲げることにより、蓋、底又はベロとすることができるようにされている場合には、型はスウィング部、特に、蓋や底の内部に位置するベロに表すことにより、運搬の際に汚れることがなく、望ましい。
【００１４】
また、仕切り体の形状についても、収納ケースの内部空間を仕切ることができる範囲で適時選択することができる設計事項であるが、例えば、四方を囲む四つの壁体と、この壁体の内部で対向する二つの壁体の間に掛け渡される少なくとも一つの中桟と、により仕切り体を形成することができる。
【００１５】
また、少なくとも一つの縦部材と、少なくとも一つの横部材と、を格子状に組み合わせることにより仕切り体を形成することもできる。
【００１６】
さらに、収納ケースの内部空間を二分する垂直壁体と、この垂直壁体の下端においてこの垂直壁体の一面側に湾曲された第一の脚部材と、この垂直壁体の下端においてこの垂直壁体の他面側に湾曲された第二の脚部材と、により仕切り体を形成することもできる。
【００１７】
以上に記載した梱包箱は、梱包箱単体で提供することも可能であり、また、収納ケースを梱包した梱包箱と収納ケースとの組み合わせの状態で提供することもできる。
【００１８】
また、本考案は、板状の段ボール紙からなり、梱包箱の内部に挿入される緩衝材であって、前記収納ケースの内部空間を仕切る仕切り体を組み立てる部材を切り抜くための型が表されていることを特徴とする緩衝材を提供する。
【００１９】
梱包を施す際には、内部に入れる物が梱包箱の内部で動いてしまうことや梱包箱の外部からの衝撃が内部に入れる物に伝わらないように緩衝材を入れることがある。
【００２０】
ここで、この緩衝材として、板状の段ボール紙を使用する場合には、この緩衝材に収納ケースの内部空間を仕切る仕切り体を組み立てる部材を切り抜くための型を表すことができる。
【００２１】
なお、この緩衝材に型を表す場合には、型により表される部材の境界線にミシン目が形成しておくことができ、また、型により表された部材を折り曲げる必要がある場合には、この部材を折り曲げる折り曲げ位置を表しておくことができることは、上述の通りである。
【００２２】
また、緩衝材に表される型により組み立てられる仕切り体の形状についても、収納ケースの内部空間を仕切ることができる範囲で適時選択することができる設計事項であるが、例えば、四方を囲む四つの壁体と、この壁体の内部で対向する二つの壁体の間に掛け渡される少なくとも一つの中桟と、により仕切り体を形成することができる。
【００２３】
また、少なくとも一つの縦部材と、少なくとも一つの横部材と、を格子状に組み合わせることにより仕切り体を形成することもできる。
【００２４】
さらに、収納ケースの内部空間を二分する垂直壁体と、この垂直壁体の下端においてこの垂直壁体の一面側に湾曲された第一の脚部材と、この垂直壁体の下端においてこの垂直壁体の他面側に湾曲された第二の脚部材と、により仕切り体を形成することもできる。
【００２５】
さらに、これらの緩衝材は、緩衝材単体として提供することもでき、また、収納ケースとの組み合わせで提供することもできる。
【００２６】
【考案の実施の形態】
図１は、本考案の第一の実施形態に係る梱包箱１００を展開した正面図である。
【００２７】
梱包箱１００は、四つの側壁１０１Ａ、１０１Ｂ、１０１Ｃ、１０１Ｄと、これらの側壁１０１Ａ、１０１Ｂ、１０１Ｃ、１０１Ｄの両端に形成されているスウィング部１０２Ａ、１０２Ｂ、１０２Ｃ、１０２Ｄ、１０２Ｅ、１０２Ｆ、１０２Ｇ、１０２Ｈと、により形成されており、通常は、側壁１０１Ａと側壁１０１Ｄとが連続して形成されているが、図１では、側壁１０１Ａと側壁１０１Ｄとを切り離して展開図としている。
【００２８】
梱包箱１００は、段ボール紙により形成されている。
【００２９】
ここで、側壁１０１Ａ、ｌ０１Ｂ、１０１Ｃ、１０１Ｄ同士の間は、折り目１０３が形成されており、容易に折り曲げることができるようにされている。
【００３０】
また、側壁１０１Ａ、１０１Ｂ、１０１Ｃ、１０１Ｄとスウィング部１０２Ａ、１０２Ｂ、１０２Ｃ、１０２Ｄ、１０２Ｅ、１０２Ｆ、１０２Ｇ、１０２Ｈとの間にも折り目１０３が形成されており、スウィング部１０２Ａ、１０２Ｂ、１０２Ｃ、１０２Ｄ、１０２Ｅ、１０２Ｆ、１０２Ｇ、１０２Ｈ同士の間は、切り離されているため、スウィング部１０２Ａ、１０２Ｂ、１０２Ｃ、１０２Ｄ、１０２Ｅ、１０２Ｆ、１０２Ｇ、１０２Ｈは、それぞれ独立して、側壁１０１Ａ、１０１Ｂ、１０１Ｃ、１０１Ｄとの間の折り目１０３において折り曲げることができるようにされている。
【００３１】
そして、図２に表されているように、スウィング部１０２Ａ、１０２Ｂ、１０２Ｃ、１０２Ｄ、１０２Ｅ、１０２Ｆ、１０２Ｇ、１０２Ｈの内、横幅の短い側壁１０１Ｂ、１０１Ｄと連続して形成されているスウィング部１０２Ｃ、１０２Ｄ、１０２Ｇ、１０２Ｈを先に側壁１０１Ａ、１０１Ｂ、１０１Ｃ、１０１Ｄの内部方向に折り曲げ、横幅の長い側壁１０１Ａ、１０１Ｃと連続して形成されているスウィング部１０２Ａ、１０２Ｂ、１０２Ｅ、１０２Ｆを後で側壁１０１Ａ、１０１Ｂ、１０１Ｃ、１０１Ｄの内部方向に折り曲げることにより、横幅の短い側壁１０１Ｂ、１０１Ｄと連続して形成されているスウィング部１０２Ｃ、１０２Ｄ、１０２Ｇ、１０２Ｈをベロ、横幅の長い側壁１０１Ａ、１０１Ｃと連続して形成されているスウィング部１０２Ａ、１０２Ｂ、１０２Ｅ、１０２Ｆを底面又は蓋として、直方体の梱包箱１００を組み立てることができるようにされている。
【００３２】
なお、以上のように、スウィング部１０２Ａ、１０２Ｂ、１０２Ｃ、１０２Ｄ、１０２Ｅ、１０２Ｆ、１０２Ｇ、１０２Ｈの内、外部に露出させるものを底面又は蓋とよび、この底面又は蓋の内部に位置するものをベロとよぶ。
【００３３】
ここで、梱包箱１００は、後述する収納ケース１２０を梱包するためのものであり、このような梱包箱１００を利用することにより、通常ゴミとして捨てられていた梱包箱１００を有効に活用することができるようになる。
【００３４】
なお、梱包箱１００の内部には、図２で表されているような、板状の段ボール紙により形成されている緩衝材１１５を挿入することにより、この梱包箱１００の内部に納められる収納ケース１２０がこの梱包箱１００の内部で動いてしまったり、梱包箱１００の外部からの衝撃が収納ケース１２０に伝わってしまったりするのを防止することができる。
【００３５】
梱包箱１００の側壁１０１Ａ、１０１Ｂには、図３に表されているように、収納ケース１２０の内部空間を仕切るための仕切り体１０４（図３参照）を組み立てるための部材である壁体１０５Ａ、１０５Ｂ、１０５Ｃ、１０５Ｄと、中桟１０６Ａ、１０６Ｂと、を切り抜くための型が印刷により表されている。
【００３６】
ここで、この印刷については、壁体１０５Ａ、１０５Ｂ、１０５Ｃ、１０５Ｄ及び中桟１０６Ａ、１０６Ｂの外枠のみを下地である段ボール紙とは異なる色彩で表している。
【００３７】
この印刷された外枠に沿って、鋏、カッターその他適切な切断手段により、梱包箱１００を切断することで、これらの部材を切り抜くことができる。
【００３８】
そして、このようにして切り抜かれた部材を組み立てることにより、図３に表されている仕切り体１０４を組み立てることができるようになる。
【００３９】
すなわち、壁体１０５Ａ、１０５Ｂ、１０５Ｃ、１０５Ｄを接着テープその他の適切な接着手段により接着することにより、矩形状の外枠を形成し、この外枠の所定位置に中桟１０６Ａ、１０６Ｂを同様に接着することにより、仕切り体１０４を組み立てることができる。
【００４０】
なお、本実施形態では、壁体１０５Ａ、１０５Ｂ、１０５Ｃ、１０５Ｄにより形成された外枠の幅方向に中桟１０６Ａ、１０６Ｂを取り付けたが、この外枠の長さ方向に中桟１０６Ａ、１０６Ｂを取り付けるようにすることもできる。
【００４１】
このようにして組み立てられた仕切り体１０４は、壁面１２１と底面１２２とを備える収納ケース１２０の内部に入れることにより、収納ケース１２０の内部空間を仕切ることができるようにされている。
【００４２】
ここで、仕切り体１０４は、収納ケース１２０の内部に入れる関係上、仕切り体１０４の大きさ・形状は、収納ケース１２０の中に入れることができる範囲で適時選択することができる。
【００４３】
すなわち、壁体１０５Ａ、１０５Ｂ、１０５Ｃ、１０５Ｄの内、長さ方向に延びる壁体１０５Ａ、１０５Ｂの長さＬは、収納ケース１２０の長さ方向の長さＰよりも短くなるように形成し、また、幅方向に延びる壁体１０５Ｃ、１０５Ｄの長さＭは、収納ケース１２０の幅方向の長さＱよりも短くなるように形成する。
【００４４】
なお、本実施形態では、一つの梱包箱１００から一つの仕切り体１０４を組み立てられるような部材を切り抜くことができるようにしているが、これらを切り抜くための型を梱包箱１００に複数印刷しておくことで、複数の仕切り体１０４を組み立てられるようにすることもできる。
【００４５】
また、本実施形態においては、梱包箱１００の側壁１０１Ａ、１０１Ｂに、仕切り体１０４を組み立てるための部材である壁体１０５Ａ、１０５Ｂ、１０５Ｃ、１０５Ｄと、中桟１０６Ａ、１０６Ｂと、を切り抜くための型が印刷されているが、これらの部材を図２に表されている緩衝材１１５に表すこともできる。
【００４６】
図４は、本考案の第二の実施形態に係る梱包箱２００を展開した正面図である。
【００４７】
本実施形態に係る梱包箱２００は、梱包箱２００に表されている型のみが第一の実施形態に係る梱包箱１００と異なっているため、この点のみを説明する。
【００４８】
梱包箱２００の側壁２０１Ａ、２０１Ｂには、三つのの縦部材２０８Ａ、２０８Ｂ、２０８Ｃと、三つの横部材２０９Ａ、２０９Ｂ、２０９Ｃとを切り抜くための型が印刷されている。
【００４９】
この印刷については、第一の実施形態と同様、段ボール紙とは異なる色彩でなされているが、この印刷されている外枠に沿って、ミシン目が入れられている。
【００５０】
したがって、このようなミシン目があるため、本実施形態では、鋏やカッター等の切断手段を使用することなく、縦部材２０８Ａ、２０８Ｂ、２０８Ｃと、横部材２０９Ａ、２０９Ｂ、２０９Ｃと、を梱包箱２００から容易に切り抜くことができるようにされている。
【００５１】
また、縦部材２０８Ａ、２０８Ｂ、２０８Ｃと、横部材２０９Ａ、２０９Ｂ、２０９Ｃと、には、長さ方向に延びる一片から幅方向の中央にまで至る切り込み線２１０が等間隔にそれぞれ三つ印刷されている。
【００５２】
そして、これらの切り込み線２１０に沿って、実際に切り込みを入れることにより、三つの縦部材２０８Ａ、２０８Ｂ、２０８Ｃを平行に並べ、実際に切り込まれた切り込み線２１０同士が合わさるように、横部材２０９Ａ、２０９Ｂ、２０９Ｃを縦部材２０８Ａ、２０８Ｂ、２０８Ｃに挿入することにより、図５に表されているように、格子状の仕切り体２０４が形成されるようになる。
【００５３】
ここで、切り込み線２１０については、縦部材２０８Ａ、２０８Ｂ、２０８Ｃと、横部材２０９Ａ、２０９Ｂ、２０９Ｃと、を連結するために使用されるものであるため、縦部材２０８Ａ、２０８Ｂ、２０８Ｃに形成する切り込み線２１０は、この縦部材２０８Ａ、２０８Ｂ、２０８Ｃに連結する横部材２０９Ａ、２０９Ｂ、２０９Ｃの数だけ形成しておけばよく、また、横部材２０９Ａ、２０９Ｂ、２０９Ｃに形成する切り込み線２１０の数も、この横部材２０９Ａ、２０９Ｂ、２０９Ｃに連結する縦部材２０８Ａ、２０８Ｂ、２０８Ｃの数だけ形成しておけばよい。
【００５４】
なお、この切り込み線２１０にも、ミシン目が入れてあるため、手で切り込むことができる。
【００５５】
なお、この仕切り体２０４の大きさ・形状についても、第一の実施形態同様、図３に表されているような収納ケース１２０の中に入れることができる範囲で適時選択することができる。
【００５６】
ここで、本実施形態においては、切り込み線２１０を等間隔にそれぞれ三つずつ形成したが、これは四つ以上形成してもよく、また、等間隔でなくてもよい。
【００５７】
例えば、縦部材２０８Ａ、２０８Ｂ、２０８Ｃと横部材２０９Ａ、２０９Ｂ、２０９Ｃとをそれぞれ三つずつ連結する場合において、切り込み線２１０をそれぞれ四つずつ形成しておくことにより、収納ケース１２０に収納する物の大きさに応じて任意の三つの切り込み線を選択することができるようになる。
【００５８】
なお、本実施形態では、梱包箱２００の側壁２０１Ａ、２０１Ｂに、三つのの縦部材２０８Ａ、２０８Ｂ、２０８Ｃと、三つの横部材２０９Ａ、２０９Ｂ、２０９Ｃとを切り抜くための型が印刷されているが、これらの部材を図２に表されている緩衝材１１５に表すことも可能である。
【００５９】
図６は、本考案の第三の実施形態に係る梱包箱３００を展開した正面図である。
【００６０】
本実施形態に係る梱包箱３００は、梱包箱３００に表されている型のみが第一の実施形態に係る梱包箱１００と異なっているため、この点のみを説明する。
【００６１】
本実施形態では、梱包箱３００のスウィング部３０２Ａ、３０２Ｂ、３０２Ｃ、３０２Ｄ、３０２Ｅ、３０２Ｆ、３０２Ｇ、３０２Ｈの内、横幅の短いスウィング部３０２Ｃ、３０２Ｄに、垂直壁体３１１と、第一の脚部材３１２と、第二の脚部材３１３と、を切り抜くための型が印刷されている。
【００６２】
ここで、横幅の短いスウィング部３０２Ｃ、３０２Ｄに型の印刷を施したのは、上述のように、一般的に、横幅の長いスウィング部３０２Ａ、３０２Ｂ、３０２Ｅ、３０２Ｆは底面又は蓋として利用され、横幅の短いスウィング部３０２Ｃ、３０２Ｄ、３０２Ｇ、３０２Ｈは底面又は蓋の内側に位置するベロとして利用されることから、このベロとして利用される部分を仕切り体３０４（図７参照）にすることにより、梱包体３００の運搬時等に汚れることが少ないと考えられるためである。
【００６３】
ここで、この印刷については、第一の実施形態同様、垂直壁体３１１と、第一の脚部材３１２と、第二の脚部材３１３と、の外枠のみを段ボール紙とは異なる色彩となるようにしている。
【００６４】
なお、図７に表されているように、垂直壁体３１１と、第一の脚部材３１２及び第二の脚部材３１３と、の間は、折り曲げるだけで、切断するものではないため、切り抜く部分と区別するため破断線により折り曲げる位置を印刷している。
【００６５】
そして、この印刷された外枠に沿って、鋏、カッターその他適切な切断手段により、梱包箱３００からこれらの部材を切断し、切り抜くことにより、図７に表されている仕切り体３０４を組み立てることができるようになる。
【００６６】
なお、本実施形態では、スウィング部３０２Ｃ、３０２Ｄに型を印刷した関係上、スウィング部スウィング部３０２Ｃ、３０２Ｄと側壁３０１Ｂとの間の境界線を切断することにより、この部分を切り抜くことができるようになっている。
【００６７】
ここで、本実施形態に係る仕切り体３０４は、垂直壁体３１１の一面側に第一の脚部材３１２をほぼ垂直に折り曲げ、他面側に第二の脚部材３１３をほぼ垂直に折り曲げることにより形成されており、これらの第一の脚部材３１２と第二の脚部材３１３とを図３に表されている収納ケース１２０の底面１２２に置くことにより、垂直壁体３１１が収納ケース１２０の内部空間を二つに仕切ることができるようにされている。
【００６８】
なお、これらの脚部材３１２、３１３については、切断、折り返し等により、その長さを変えることができるため、脚部材３１２、３１３の長さを短くすることにより、収納ケース１２０の壁面１２１の近傍において、収納ケース１２０の内部空間を二つに仕切ることができるようにすることも可能である。
【００６９】
また、本実施形態では、梱包箱３００のスウィング部３０２Ａ、３０２Ｂ、３０２Ｃ、３０２Ｄ、３０２Ｅ、３０２Ｆ、３０２Ｇ、３０２Ｈの内、横幅の短いスウィング部３０２Ｃ、３０２Ｄに、垂直壁体３１１と、第一の脚部材３１２と、第二の脚部材３１３と、を切り抜くための型が印刷されているが、これらの部材を図２に表されている緩衝材１１５に表すことも可能である。
【００７０】
なお、緩衝材１１５については、例えば、図８に表されているように、収納ケース２２０を重ねる際に、間に挟み込むこと等により使用される。
【００７１】
以上に記載した梱包箱１００、２００、３００は、梱包箱１００、２００、３００単体で提供することも可能であるが、これらを利用した仕切り体１０４、２０４、３０４を使用することができる収納ケース１２０を梱包した状態で提供することが望ましい。
【００７２】
梱包箱１００、２００、３００を利用した仕切り体１０４、２０４、３０４を使用することができる収納ケース１２０を梱包した状態で提供することにより、収納ケース１２０の内部空間に応じた形状・大きさに仕切り体１０４、２０４、３０４を設計することができ、便利である。
【００７３】
【考案の効果】
以上のように本考案を構成したので、収納ケースを梱包する梱包箱を有効に利用した仕切り体を提供することができる。
【図面の簡単な説明】
【図１】梱包箱１００を展開した正面図。
【図２】梱包箱１００を組み立てた状態を表す上方斜視図。
【図３】仕切り体１０４及び収納ケース１２０の上方斜視図。
【図４】梱包箱２００を展開した正面図。
【図５】仕切り体２０４の上方斜視図。
【図６】梱包箱３００を展開した正面図。
【図７】仕切り体３０４の上方斜視図。
【図８】緩衝材１１５の使用例を表す上方斜視図。
【符号の説明】
１００、２００、３００　梱包箱
１０１、２０１、３０１　側壁
１０２、２０２、２０２　スウィング部
１０４、２０４、３０４　仕切り体
１０５　壁体
１０６　中桟
２０８　縦部材
２０９　横部材
２１０　切り込み線
３１１　垂直壁体
３１２　第一の脚部材
３１３　第二の脚部材
１１５　緩衝材
１２０、２２０　収納ケース
【図１】
0003097446.tif 000003
【図２】
0003097446.tif 000004
【図３】
0003097446.tif 000005
【図４】
0003097446.tif 000006
【図５】
0003097446.tif 000007
【図６】
0003097446.tif 000008
【図７】
0003097446.tif 000009
【図８】
0003097446.tif 000010
【手続補正書】
【提出日】平成15年5月9日(2003.5.9)
【手続補正１】
【補正対象書類名】図面
【補正対象項目名】全図
【補正方法】変更
【補正の内容】
【図１】
0003097446.tif 000011
【図２】
0003097446.tif 000012
【図３】
0003097446.tif 000013
【図４】
0003097446.tif 000014
【図５】
0003097446.tif 000015
【図６】
0003097446.tif 000016
【図７】
0003097446.tif 000017
【図８】
0003097446.tif 000018